(57)【要約】本願は、情報伝送方法及び装置を提供し、該方法は、ＩＡＢノードがリンク情報を第２のＩＡＢノードに送信することを含み、この第２のＩＡＢノードは、ＩＡＢ子ノード又はＩＡＢ親ノード又はＩＡＢ  ｄｏｎｏｒである。本願は、電子装置及び記憶媒体をさらに提供する。他の実施例に係る情報伝送装置は、第２のＩＡＢノードに送信すべきリンク情報を決定するように設定された第１の決定モジュールと、前記リンク情報を、ＩＡＢ子ノード又はＩＡＢ親ノード又はＩＡＢ  ｄｏｎｏｒである第２のＩＡＢノードに送信するように設定された第１の送信モジュールとを含む。【選択図】図４
2021528014.tif 000002
【特許請求の範囲】
【請求項１】
第１のアクセスバックホール統合リンクＩＡＢノードがリンク情報を第２のＩＡＢノードに送信することを含み、前記第２のＩＡＢノードは、ＩＡＢ子ノード又はＩＡＢ親ノード又はＩＡＢドナーｄｏｎｏｒである、情報伝送方法。
【請求項２】
前記リンク情報は、
フロー制御情報、
成功して提出された最大なパケットデータ収束プロトコルシーケンス番号ＰＤＣＰ  ＳＮ情報、
リンク状態情報、及び
データパケットの伝送状態情報のうちの少なくとも１つを含む、請求項１に記載の方法。
【請求項３】
前記フロー制御情報は、
１つ以上のベアラ識別子、
１つ以上の論理チャネル識別子、
ユーザ装置ＵＥ識別子又はＩＡＢノードのノード識別情報、及び
必要なバッファサイズｄｅｓｉｒｅｄ  ｂｕｆｆｅｒ  ｓｉｚｅ情報のうちの少なくとも１つを含む、請求項２に記載の方法。
【請求項４】
前記必要なバッファサイズｄｅｓｉｒｅｄ  ｂｕｆｆｅｒ  ｓｉｚｅ情報は、
ＵＥのベアラ又は論理チャネルに対応する必要なバッファサイズｄｅｓｉｒｅｄ  ｂｕｆｆｅｒ  ｓｉｚｅ、
前記ＩＡＢノードのベアラ又は論理チャネルに対応する必要なバッファサイズ、
ＵＥ又は前記ＩＡＢノードに対応する必要なバッファサイズ、及び
ＵＥ又は前記ＩＡＢノードに対応する最低限必要なバッファサイズのうちの少なくとも１つを含む、請求項３に記載の方法。
【請求項５】
前記リンク状態情報は、
無線リンク失敗指示情報、
無線リンク中断指示情報、
無線リンク回復指示情報、及び
報告されたリンク状態に対応するＩＡＢノードを識別するノード識別情報のうちの少なくとも１つを含む、請求項２に記載の方法。
【請求項６】
前記ノード識別情報は、前記ＩＡＢノードの携帯端末ＭＴ部分を識別する第１の識別子であり、或いは、
前記ノード識別情報は、前記ＩＡＢノードのＤＵ、前記ＩＡＢノードのＣＵ、及び前記ＩＡＢノードの基地局部分を識別する第２の識別子である、請求項３又は４に記載の方法。
【請求項７】
前記データパケットの伝送状態情報は、
欠落したデータパケットシーケンス番号情報、
送信に失敗したデータパケットシーケンス番号情報、及び
確認が受信されなかったデータパケットシーケンス番号情報のうちの１つを含む、請求項２に記載の方法。
【請求項８】
前記第１のＩＡＢノードがリンク情報をＩＡＢ  ｄｏｎｏｒである第２のＩＡＢノードに送信することは、
前記第１のＩＡＢノードが他のＩＡＢノードによりリンク情報を前記ＩＡＢ  ｄｏｎｏｒに送信することを含み、
前記ＩＡＢ  ｄｏｎｏｒは、ＩＡＢ  ｄｏｎｏｒ分散型ユニットＤＵ及びＩＡＢ  ｄｏｎｏｒ集中型ユニットＣＵのうちの少なくとも１つである、請求項１に記載の方法。
【請求項９】
前記第１のＩＡＢノードがリンク情報を第２のＩＡＢノードに送信することは、
前記第１のＩＡＢノードがリンク情報をＧＴＰ−Ｕパケットヘッダに含めて前記第２のＩＡＢノードに送信すること、
前記第１のＩＡＢノードがリンク情報をＭＡＣ層により前記第２のＩＡＢノードに送信すること、
前記第１のＩＡＢノードがリンク情報を適応層パケットヘッダに含めて前記第２のＩＡＢノードに送信すること、
前記第１のＩＡＢノードがＦ１メッセージによりリンク情報を前記第２のＩＡＢノードに送信すること、
前記第１のＩＡＢノードがＲＲＣメッセージによりリンク情報を前記第２のＩＡＢノードに送信すること、のうちの１つを含む、請求項１に記載の方法。
【請求項１０】
第１のアクセスバックホール統合リンクＩＡＢノードに適用される情報伝送装置であって、
第２のＩＡＢノードに送信すべきリンク情報を決定するように設定された第１の決定モジュールと、
前記リンク情報を、ＩＡＢ子ノード又はＩＡＢ親ノード又はＩＡＢ  ｄｏｎｏｒである第２のＩＡＢノードに送信するように設定された第１の送信モジュールとを含む、情報伝送装置。
【請求項１１】
コンピュータプログラムが記憶され、前記コンピュータプログラムが実行されると、前記請求項１〜９のいずれか１項に記載の方法を実行するように設定されている、記憶媒体。
【請求項１２】
コンピュータプログラムが記憶されているメモリと、前記コンピュータプログラムを実行することにより、前記請求項１〜９のいずれか１項に記載の方法を実行するように設定されるプロセッサと、を含む電子装置。
【発明の詳細な説明】
【技術分野】
【０００１】
本願は、２０１８年６月２１日に提出された中国特許出願第２０１８１０６４６８３７．１号の優先権を主張するものであり、該出願の全ての内容は参照により本願に組み込まれるものとする。
【０００２】
本願は、通信の分野に関し、具体的には、情報伝送方法及び装置に関する。
【背景技術】
【０００３】
関連技術において、新無線ＮＲは、ロングタームエボリューションシステムＬＴＥに比べて利用可能な帯域幅がより大きく、大規模多入力多出力（Ｍａｓｓｉｖｅ  Ｍｕｌｔｉｐｌｅ−Ｉｎｐｕｔ  Ｍｕｌｔｉｐｌｅ−Ｏｕｔｐｕｔ、ｍａｓｓｉｖｅ  ＭＩＭＯ）及びｍｕｌｔｉ−ｂｅａｍの利用により、アクセスバックホール統合リンク（ＩＡＢ、ｉｎｔｅｇｒａｔｅｄ  ａｃｃｅｓｓ  ａｎｄ  ｂａｃｋｈａｕｌ  ｌｉｎｋｓ）の研究及び応用が可能となる。無線バックホールリンク及びリレーリンクにより、密集したＮＲセルネットワークをより柔軟に配置することができ、それに応じて伝送ネットワークの密集した配置を増加させる必要がない。ＵＥの無線アクセスをサポートし、かつユーザプレーン又は制御プレーンデータパケットに対して無線バックホールを行うアクセスノードは、ＩＡＢノード（ＩＡＢ  ｎｏｄｅ）と呼ばれる。ＩＡＢ  ｎｏｄｅに無線バックホール機能を提供することによりＵＥをコアネットワークに接続したアクセスノードは、ＩＡＢドナー（ＩＡＢ  ｄｏｎｏｒ）と呼ばれる。ＩＡＢノード（子ＩＡＢノード、又はＩＡＢ子ノード、ｃｈｉｌｄ  ＩＡＢ  ｎｏｄｅとも呼ばれる）は、エアインターフェースにより他のＩＡＢノード（親ＩＡＢノード、又はＩＡＢ親ノード、ｐａｒｅｎｔ  ＩＡＢ  ｎｏｄｅとも呼ばれる）にアクセスするか又はＩＡＢ  ｄｏｎｏｒにアクセスすることができる。ＩＡＢノードは、ＭＴ論理機能を有してもよく、ＵＥ論理機能と呼ばれてもよい。ＩＡＢノードは、ＤＵ又は基地局機能を有してもよい。アクセスノードの間は、無線バックホールリンクｂａｃｋｈａｕｌ  ｌｉｎｋによりユーザプレーン又は制御プレーンデータパケットを伝送することができる。Ａｃｃｅｓｓ  ｌｉｎｋとｂａｃｋｈａｕｌ  ｌｉｎｋは、同じ又は異なるキャリア周波数を使用することができる。また、ユーザプレーン又は制御プレーンデータパケットは、アクセスノードとコアネットワークエレメントとの間のマルチホップのリレーバックホールリンクにより伝送することができる。図１は、関連技術における非ＣＵ／ＤＵ分離配置のＩＡＢシーン概略図であり、図１に示すように、ＵＥのアップリンクデータパケットは、２つのＩＡＢ  ｎｏｄｅによりＩＡＢ  ｄｏｎｏｒに送信されて、５Ｇコアネットワーク（ＮＧＣ）に送信されてもよい。一方、集中型ユニットＣＵ／分散型ユニットＤＵ分離配置をサポートすることは、ＮＲにおける重要な技術的特徴であり、即ち、５Ｇ基地局（ｇＮＢ）は、ＣＵとＤＵの論理機能で構成され、図２は、関連技術におけるＣＵ／ＤＵ分離配置のＩＡＢシーン概略図である。また、ＣＵは、制御プレーン（ＣＵ−ＣＰとも呼ばれる）及びユーザプレーン（ＣＵ−ＵＰとも呼ばれる）の論理機能で構成されてよい。関連技術における新たな無線中のＩＡＢシーンに適用される、リンク情報を報告する手段に欠けるという問題に対して、現在、有効な技術手段がない。
【発明の概要】
【発明が解決しようとする課題】
【０００４】
本願の実施例は、関連技術における新たな無線中のＩＡＢシーンに適用される、リンク情報を報告する手段に欠けるという問題を少なくとも解決する情報伝送方法及び装置を提供する。
【課題を解決するための手段】
【０００５】
本願の一実施例に係る情報伝送方法は、第１のアクセスバックホール統合リンクＩＡＢノードがリンク情報を第２のＩＡＢノードに送信することを含み、前記第２のＩＡＢノードは、ＩＡＢ子ノード又はＩＡＢ親ノード又はＩＡＢ  ｄｏｎｏｒである。
【０００６】
本願書類の他の実施例に係る情報伝送装置は、第２のＩＡＢノードに送信すべきリンク情報を決定するように設定された第１の決定モジュールと、前記リンク情報を、ＩＡＢ子ノード又はＩＡＢ親ノード又はＩＡＢ  ｄｏｎｏｒである第２のＩＡＢノードに送信するように設定された第１の送信モジュールとを含む。
【０００７】
本発明のさらなる実施例に係る記憶媒体は、コンピュータプログラムが記憶され、前記コンピュータプログラム実行されると、上記いずれかの方法の実施例におけるステップを実行するように設定されるている。
【０００８】
本発明のさらなる実施例に係る電子装置は、コンピュータプログラムが記憶されているメモリと、前記コンピュータプログラムを実行することにより、上記いずれかの方法の実施例におけるステップを実行するように設定されるプロセッサと、を含む。
【図面の簡単な説明】
【０００９】
ここで説明される図面は、本願をさらに理解するためのものであり、本願の一部を構成し、本願の例示的な実施例及びそれらの説明は、本願を解釈するためのものであるが、本願を不当に限定するものではない。
【００１０】
【図１】関連技術における非ＣＵ／ＤＵ分離配置に係るＩＡＢシーン概略図である。
【図２】関連技術におけるＣＵ／ＤＵ分離配置に係るＩＡＢシーン概略図である。
【図３】本願書類に係る情報伝送方法の概略図である。
【図４】本願の実施例に係る情報伝送方法のフローチャートである。
【図５】本願書類に係るＩＡＢユーザプレーンに用いられたプロトコルスタック概略図である。
【図６】本願書類の具体的な実施例２に係るネットワークアーキテクチャの概略図である。
【図７】本願書類の具体的な実施例３に係るＩＡＢユーザプレーンのプロトコルスタックアーキテクチャの概略図である。
【発明を実施するための形態】
【００１１】
以下、図面を参照しながら実施例を組み合わせて本願を詳細に説明する。なお、本願の実施例及び実施例の特徴は、矛盾しない限り、互いに組み合わせることができる。
【００１２】
なお、本願の明細書、特許請求の範囲及び上記図面に用いられた「第１」、「第２」などの用語は、類似する対象を区別するためのもので、特定の順序又は前後順を限定するものではない。
【００１３】
（実施例１）
本願の実施例において、ネットワークアーキテクチャがネットワーク側装置（例えば、基地局）及び端末を含んでよい移動通信ネットワーク（５Ｇ移動通信ネットワークを含むが、これに限定されない）を提供する。本実施例において、上記ネットワークアーキテクチャ上で実行可能な情報伝送方法を提供し、なお、本願の実施例に係る上記情報伝送方法の実行環境は、上記ネットワークアーキテクチャに限定されない。
【００１４】
本願の実施例は、図３に示すネットワークアーキテクチャ上で実行可能であり、図３は、本願書類に係る情報伝送方法の概略図であり、図３に示すように、該ネットワークアーキテクチャは、Ａ、第１のＩＡＢノード（以下、ＩＡＢノードと略称）、及びＢ、第２のＩＡＢノードを含む。
【００１５】
本実施例において、上記ネットワークアーキテクチャ上で実行される情報伝送方法を提供し、図４は、本願の実施例に係る情報伝送方法のフローチャートであり、図４に示すように、該フローは、
第１のＩＡＢノードが送信すべきリンク情報を決定するステップＳ４０２と、
第１のアクセスバックホール統合リンクＩＡＢノードがリンク情報を、ＩＡＢ子ノード又はＩＡＢ親ノード又はＩＡＢ  ｄｏｎｏｒである第２のＩＡＢノードに送信するステップＳ４０４とを含む。
【００１６】
ＩＡＢ子ノードは、子ＩＡＢノード、ｃｈｉｌｄ  ＩＡＢ  ｎｏｄｅとも呼ばれる。
【００１７】
ＩＡＢ親ノードは、親ＩＡＢノード、ｐａｒｅｎｔ  ＩＡＢ  ｎｏｄｅと呼ばれてもよい。
【００１８】
ＩＡＢ  ｄｏｎｏｒは、ＩＡＢドナーと呼ばれてよい。
【００１９】
第２のＩＡＢノードは、前ホップノードであってもよく、マルチホップノードで転送されてＩＡＢ  ｄｏｎｏｒに到達する中間ホップノードであってもよい。
【００２０】
上記ステップによって、第１のＩＡＢノードがリンク情報を、ＩＡＢ親ノード又はＩＡＢ  ｄｏｎｏｒである第２のＩＡＢノードに送信し、上記技術手段を用いて、関連技術における新たな無線中のＩＡＢシーンに適用される、リンク情報を報告する手段に欠けるという問題を解決し、ＩＡＢシーンにおいてリンク情報をリアルタイムで正確に報告することを実現する。
【００２１】
好ましくは、ステップＳ４０２とステップＳ４０４の実行順序は、入れ替えてもよく、即ち、ステップＳ４０４を先に実行してＳ４０２を実行するようにしてもよい。
【００２２】
好ましくは、該リンク情報は、フロー制御情報、成功して提出された最大なパケットデータ収束プロトコルシーケンス番号ＰＤＣＰ  ＳＮ（Ｐａｃｋｅｔ  Ｄａｔａ  Ｃｏｎｖｅｒｇｅｎｃｅ  Ｐｒｏｔｏｃｏｌ  Ｓｅｑｕｅｎｃｅ  Ｎｕｍｂｅｒ）情報、リンク状態情報、及びデータパケットの伝送状態情報のうちの少なくとも１つを含む。
【００２３】
好ましくは、該フロー制御情報は、
ＵＥのベアラ又はＩＡＢノードのベアラであってよい１つ以上のベアラ識別子、
ＵＥの論理チャネル又はＩＡＢノードの論理チャネルであってよい１つ以上の論理チャネル識別子、
ユーザ装置ＵＥ識別子又はＩＡＢノードのノード識別情報、及び
必要なバッファサイズｄｅｓｉｒｅｄ  ｂｕｆｆｅｒ  ｓｉｚｅ情報のうちの少なくとも１つを含む。
【００２４】
好ましくは、必要なバッファサイズｄｅｓｉｒｅｄ  ｂｕｆｆｅｒ  ｓｉｚｅ情報は、ＵＥのベアラ又は論理チャネルに対応する必要なバッファサイズｄｅｓｉｒｅｄ  ｂｕｆｆｅｒ  ｓｉｚｅ、該ＩＡＢノードのベアラ又は論理チャネルに対応する必要なバッファサイズ、ＵＥ又は該ＩＡＢノードに対応する必要なバッファサイズ、及びＵＥ又は該ＩＡＢノードに対応する最低限必要なバッファサイズのうちの少なくとも１つを含む。
【００２５】
好ましくは、該リンク状態情報は、
無線リンク失敗指示情報、
無線リンク中断指示情報、
無線リンク回復指示情報、及び
リンク状態情報における該リンク状態情報を報告するＩＡＢノードが搬送されているノード識別情報であってよい、報告されたリンク状態に対応するＩＡＢノードを識別するノード識別情報のうちの少なくとも１つを含む。
【００２６】
該実施例の手段は、明細書の図６を参照して理解されるように、例えば、ＩＡＢ  ｎｏｄｅ  ２は、ＩＡＢ  ｎｏｄｅ  ３又はＩＡＢ  ｎｏｄｅ  ４にリンク状態情報を報告する場合、データ無線ベアラ（Ｄａｔａ  Ｒａｄｉｏ  Ｂｅａｒｅｒ、ＤＲＢ）５の無線リンク状態を報告することができる。
【００２７】
好ましくは、該データパケットの伝送状態情報は、欠落したデータパケットシーケンス番号情報、送信に失敗したデータパケットシーケンス番号情報、及び確認が受信されなかったデータパケットシーケンス番号情報のうちの１つを含む。
【００２８】
好ましくは、該ノード識別情報は、該ＩＡＢノードの携帯端末ＭＴ部分を識別する第１の識別子であり、該第１の識別子は、セル無線ネットワーク一時識別子（Ｃｅｌｌ  Ｒａｄｉｏ  Ｎｅｔｗｏｒｋ  Ｔｅｍｐｏｒａｒｙ  Ｉｄｅｎｔｉｆｉｅｒ、Ｃ−ＲＮＴＩ）、Ｃ−ＲＮＴＩ＋セル識別子、Ｃ−ＲＮＴＩ＋基地局識別子、Ｃ−ＲＮＴＩ＋ＤＵ識別子、Ｆ１ＡＰ  ＩＤ、Ｘ２ＡＰ  ＩＤ、ＸｎＡＰ  ＩＤ、Ｓ１ＡＰ  ＩＤ、ＮＧＡＰ  ＩＤ、及び汎用パケット無線サービス技術トンネルプロトコルのトンネルエンドポイント識別子（Ｇｅｎｅｒａｌ  Ｐａｃｋｅｔ  Ｒａｄｉｏ  Ｓｅｒｖｉｃｅ  Ｔｕｎｎｅｌｉｎｇ  Ｐｒｏｔｏｃｏｌ  Ｔｕｎｎｅｌ  Ｅｎｄ  ｐｏｉｎｔ  Ｉｄｅｎｔｉｆｉｅｒ、ＧＴＰ  ＴＥＩＤ）を含むが、これらに限定されず、
【００２９】
或いは、該ノード識別情報は、該ＩＡＢノードのＤＵ、該ＩＡＢノードのＣＵ、及び該ＩＡＢノードの基地局部分を識別する第２の識別子であり、  該第２の識別子は、ＤＵ識別子、ＣＵ識別子、基地局識別子、セル識別子、物理セル識別子ＰＣＩ、及びＩＰアドレスを含むが、これらに限定されない。
【００３０】
上記ノード識別情報についての説明は、本願書類の他の実施例に適用される。
【００３１】
好ましくは、ＩＡＢノードがリンク情報をＩＡＢ  ｄｏｎｏｒである第２のＩＡＢノードに送信することは、ＩＡＢノードが他のＩＡＢノードによりリンク情報をＩＡＢ  ｄｏｎｏｒに送信することを含み、該ＩＡＢ  ｄｏｎｏｒは、ＩＡＢ  ｄｏｎｏｒ分散型ユニットＤＵ及び／又はＩＡＢ  ｄｏｎｏｒ集中型ユニットＣＵである。本実施例における他のＩＡＢノードは、周囲のＩＡＢノードであってもよく、マルチホップノードのうちの一部のＩＡＢノードであってもよい。
【００３２】
好ましくは、ＩＡＢノードがリンク情報を第２のＩＡＢノードに送信することは、
該ＩＡＢノードがリンク情報をＧＴＰユーザプレーン（ＧＴＰ−Ｕ）パケットヘッダに含めて第２のＩＡＢノードに送信すること、
該ＩＡＢノードがリンク情報を媒体アクセス制御（Ｍｅｄｉａ  Ａｃｃｅｓｓ  Ｃｏｎｔｒｏｌ、ＭＡＣ）層により第２のＩＡＢノードに送信すること、
該ＩＡＢノードがリンク情報を適応層パケットヘッダに含めて第２のＩＡＢノードに送信すること、
該ＩＡＢノードがＦ１メッセージによりリンク情報を第２のＩＡＢノードに送信すること、
該ＩＡＢノードが無線リソース制御（Ｒａｄｉｏ  Ｒｅｓｏｕｒｃｅ  Ｃｏｎｔｒｏｌ、ＲＲＣ）メッセージによりリンク情報を第２のＩＡＢノードに送信すること、のうちの１つを含む。
【００３３】
本願書類の他の実施例に係る情報伝送方法は、
第２のアクセスバックホール統合リンクＩＡＢノードがＩＡＢノードから送信されたリンク情報を受信するステップを含み、該第２のＩＡＢノードは、ＩＡＢ子ノード又はＩＡＢ親ノード又はＩＡＢ  ｄｏｎｏｒである。
【００３４】
上記技術手段を用いて、関連技術における新たな無線中のＩＡＢシーンに適用される、リンク情報を報告する手段に欠けるという問題を解決し、ＩＡＢシーンにおいてリンク情報をリアルタイムで正確に報告することを実現する。
【００３５】
好ましくは、該リンク情報は、フロー制御情報、成功して提出された最大なパケットデータ収束プロトコルシーケンス番号ＰＤＣＰ  ＳＮ情報、及びリンク状態情報のうちの少なくとも１つを含む。
【００３６】
一実施例において、図２における５ＧＣは、５Ｇコアネットワークを示し、Ｆ１とＮＧは、いずれもインタフェースを示す。
【００３７】
以下、本願書類の他の実施例を参照して説明する。
【００３８】
具体的な実施例１
本願書類が解決しようとする課題は、アクセスバックホール（ｉｎｔｅｇｒａｔｅｄ  ａｃｃｅｓｓ  ａｎｄ  ｂａｃｋｈａｕｌ、ＩＡＢ）統合ＩＡＢアーキテクチャにおけるフロー制御（ｆｌｏｗ  ｃｏｎｔｒｏｌ）の方法によって、データパケットの伝送に成功するようにすることである。
【００３９】
図５は、本願書類に係るＩＡＢユーザプレーンに用いられたプロトコルスタックの概略図であり、図５に示すように、ＩＡＢ  ｎｏｄｅとｄｏｎｏｒ  ＤＵとの間にＧＴＰ−Ｕプロトコル層がなく、ｄｏｎｏｒ  ＤＵとｄｏｎｏｒ  ＣＵとの間にＧＴＰ−Ｕプロトコル層がある。図５において、適応層は、ＩＡＢ  ｎｏｄｅとＩＡＢ  ｄｏｎｏｒ  ＤＵの無線リンク制御（Ｒａｄｉｏ  Ｌｉｎｋ  Ｃｏｎｔｒｏｌ、ＲＬＣ）層の上に位置している。なお、適応層（ａｄａｐｔｏｒ  ｌａｙｅｒ／ａｄａｐｔａｔｉｏｎ  ｌａｙｅｒ）は、ＲＬＣ層とＭＡＣ層との間に位置してもよく、適応層機能は、ＲＬＣ又はＭＡＣ層に位置してもよい。Ｄｏｎｏｒ  ＤＵとＣＵ（又はＣＵ−ＵＰ）との間のインタフェースに適応層が存在してもよく、即ち、Ｄｏｎｏｒ  ＤＵとＣＵ（又はＣＵ−ＵＰ）も対応する適応層処理を実行する。また、図５における適応層の上には、ＧＴＰ−Ｕ又はＵＤＰ又はＩＰ層が存在する可能性がある。なお、本願の方法は、明細書に示されているＩＡＢプロトコルスタックアーキテクチャのみならず、他のＩＡＢプロトコルスタックアーキテクチャにも適用可能である。本実施例は、ＩＡＢ  ｎｏｄｅ上の、ＧＴＰ−Ｕプロトコル層がない場合のフロー制御情報送信方法である。図５において、ＰＨＹは、物理層を示す。Ｌ１は、プロトコルスタックモデルにおける物理層を示し、Ｌ２は、プロトコルスタックモデルにおけるリンク層を示す。ＳＤＡＰ（Ｓｅｒｖｉｃｅ  Ｄａｔａ  Ａｄａｐｔａｔｉｏｎ  Ｐｒｏｔｏｃｏｌ）は、サービスデータ適応プロトコル層を示す。
ＩＡＢノードは、フロー制御情報を次ホップノード（ｐａｒｅｎｔ  ＩＡＢノード又はＩＡＢ  ｄｏｎｏｒ）に送信してよい。例えば、図５に示すＩＡＢプロトコルスタックアーキテクチャ下で、ＩＡＢ  ｎｏｄｅ  １は、フロー制御情報をＩＡＢ  ｎｏｄｅ  ２に送信してよい。ＩＡＢ  ｎｏｄｅ  ２は、フロー制御情報をＩＡＢ  ｄｏｎｏｒ  ＤＵに送信してよい。具体的には、フロー制御情報は、
１）ＵＥのベアラの識別子又はＩＡＢノードのベアラの識別子であってよい１つ以上のベアラ識別子、
２）ＵＥの論理チャネルの識別子又はＩＡＢノードの論理チャネルの識別子であってよい１つ以上の論理チャネル識別子、
３）ＵＥのベアラ又は論理チャネルに対応する必要なバッファサイズｄｅｓｉｒｅｄ  ｂｕｆｆｅｒ  ｓｉｚｅ、
４）ＩＡＢノードのベアラ又は論理チャネルに対応する必要なバッファサイズ、
５）ＵＥ又はＩＡＢノードに対応する必要なバッファサイズ、
６）ＵＥ又はＩＡＢノードに対応する最低限必要なバッファサイズ、及び
７）ＵＥ識別子又はＩＡＢノード識別情報のうちの少なくとも１つを含む。ＩＡＢノード識別情報は、ＩＡＢノードの携帯端末ＭＴ部分を識別する識別子であり、Ｃ−ＲＮＴＩ、Ｃ−ＲＮＴＩ＋セル識別子、Ｃ−ＲＮＴＩ＋基地局識別子、Ｃ−ＲＮＴＩ＋ＤＵ識別子、Ｆ１ＡＰ  ＩＤ、Ｘ２ＡＰ  ＩＤ、及びＧＴＰ  ＴＥＩＤを含むが、これらに限定されず、或いは、ＩＡＢノードのＤＵ又はＣＵ又は基地局部分を識別する識別子であり、ＤＵ識別子、ＣＵ識別子、基地局識別子、セル識別子、ＰＣＩ、及びＩＰアドレスを含むが、これらに限定されない。
【００４０】
フロー制御情報は、以下の方法によって送信することができる。
【００４１】
方法１、ＭＡＣ層による送信
ＭＡＣ層によりフロー制御情報を送信する方法で、ＭＡＣ  ＣＥによりフロー制御情報を送信してよく、例えば、ＭＡＣ  ＣＥには、１つのバッファサイズ情報及び／又は対応する１つ以上のベアラ／論理チャネル識別子が含まれてもよく、複数のバッファサイズ情報及び／又は各バッファサイズ情報に対応する１つ以上のベアラ／論理チャネル識別子が含まれてもよい。或いは、ＭＡＣ  ＣＥには、１つのバッファサイズ情報及び／又は対応するＵＥ識別子又はＩＡＢノード識別子が含まれてもよく、複数のバッファサイズ情報及び／又は各バッファサイズ情報に対応するＵＥ識別子又はＩＡＢノード識別子が含まれてもよい。１つのＭＡＣプロトコルデータユニット（Ｐｒｏｔｏｃｏｌ  Ｄａｔａ  Ｕｎｉｔ、ＰＤＵ）には、フロー制御情報を伝送するための１つ以上のＭＡＣ  ＣＥが含まれてよい。好ましくは、ＭＡＣ  ＰＤＵには、フロー制御情報を伝送するためのＭＡＣ  ＣＥに対応する論理チャネル識別子（ｌｏｇｉｃａｌ  ｃｈａｎｎｅｌ  ＩＤ、ＬＣＩＤ）が含まれる。
【００４２】
方法２、適応層による送信
適応層によりロー制御情報を送信する方法で、適応層パケットヘッダには、１つのバッファサイズ情報及び／又は対応する１つ以上のベアラ／論理チャネル識別子が含まれてもよく、複数のバッファサイズ情報及び／又は各バッファサイズ情報に対応する１つ以上のベアラ／論理チャネル識別子が含まれてもよく、１つのバッファサイズ情報及び／又は対応するＵＥ識別子又はＩＡＢノード識別子が含まれてもよく、複数のバッファサイズ情報及び／又は各バッファサイズ情報に対応するＵＥ識別子又はＩＡＢノード識別子が含まれてもよい。
【００４３】
方法３、Ｆ１メッセージによるフロー制御情報の送信
方法４、ＲＲＣメッセージによるフロー制御情報の送信
好ましくは、ＩＡＢ  ｎｏｄｅ  ２又はＩＡＢ  ｄｏｎｏｒ  ＤＵは、前ホップノードのフロー制御情報を受信した後に、該フロー制御情報に基づいてダウンリンクデータ伝送を行ってよい。
【００４４】
或いは、ＩＡＢ  ｎｏｄｅ  ２は、前ホップノードのフロー制御情報を受信した後に、次ホップノードにフロー制御情報を転送する。好ましくは、Ｄｏｎｏｒ  ＤＵは、ＧＴＰ−Ｕによりフロー制御情報を送信してよい。ＩＡＢ  ｄｏｎｏｒ  ＤＵ又はＩＡＢ  ｄｏｎｏｒ  ＣＵは、フロー制御情報を受信した後に、該フロー制御情報に基づいてダウンリンクデータ伝送を行ってよい。
【００４５】
具体的な実施例２
以下、フロー制御情報の送信の一例についての説明であり、様々なＩＡＢプロトコルスタックアーキテクチャに適用可能である。図６は、本願書類の具体的な実施例２に係るネットワークアーキテクチャの概略図である。図６に示すように、論理チャネル／ベアラ１０、１１、１２、１３と論理チャネル／ベアラ５とが互いにマッピングされ、論理チャネル／ベアラ５と論理チャネル／ベアラ１、２、３、４とが互いにマッピングされ、論理チャネル／ベアラ１と論理チャネル／ベアラ６とが互いにマッピングされ、論理チャネル／ベアラ２と論理チャネル／ベアラ７とが互いにマッピングされ、論理チャネル／ベアラ３と論理チャネル／ベアラ８とが互いにマッピングされ、論理チャネル／ベアラ４と論理チャネル／ベアラ９とが互いにマッピングされる。
【００４６】
ＩＡＢ  ｎｏｄｅ  １に対して、自身のバッファ状況に応じて論理チャネル／ベアラ１０、１１、１２、１３のそれぞれに対応する必要なバッファサイズ（ｄｅｓｉｒｅｄ  ｂｕｆｆｅｒ  ｓｉｚｅ）を決定した後、それらを加算して論理チャネル／ベアラ５に対応する必要なバッファサイズ、及び／又は、ＩＡＢ  ｎｏｄｅ  １（ＭＴ部分）に対応する必要なバッファサイズを取得し、論理チャネル／ベアラ５のデータパケットにおける適応層又はＭＡＣ層又はＦ１メッセージ又はＲＲＣメッセージによりフロー制御情報を送信する。
【００４７】
ＩＡＢ  ｎｏｄｅ  ２に対して、自身のバッファ状況に応じて論理チャネル／ベアラ５に対応する必要なバッファサイズを決定した後、以下の２つの方法のいずれかを用いてフロー制御情報を送信することができる。
【００４８】
方法１．ＩＡＢ  ｎｏｄｅ  ２は、ＩＡＢ  ｎｏｄｅ  ３とＩＡＢ  ｎｏｄｅ  ４との間の各論理チャネル／ベアラ（即ち、１、２、３、４）に対応する必要なバッファサイズをさらに決定し、それぞれ論理チャネル／ベアラ１、２、３、４におけるデータパケットによってＩＡＢ  ｎｏｄｅ  ３とＩＡＢ  ｎｏｄｅ  ４に送信する。好ましくは、ＩＡＢ  ｎｏｄｅ  ２は、論理チャネル／ベアラ１及び２に対応する必要なバッファサイズをＩＡＢ  ｎｏｄｅ  ２のＭＴ部分の必要なバッファサイズとして加算し、論理チャネル／ベアラ１又は２におけるデータパケットによってＩＡＢ  ｎｏｄｅ  ３に送信する。好ましくは、ＩＡＢ  ｎｏｄｅ  ２は、論理チャネル／ベアラ３及び４に対応する必要なバッファサイズをＩＡＢ  ｎｏｄｅ  ２のＭＴ部分の必要なバッファサイズとして加算し、論理チャネル／ベアラ３又は４におけるデータパケットによってＩＡＢ  ｎｏｄｅ  ４に送信する。
【００４９】
方法２．ＩＡＢ  ｎｏｄｅ  ２は、ＩＡＢ  ｎｏｄｅ  ３との間の１つ以上の論理チャネル／ベアラに対応する必要な合計のバッファサイズをさらに決定し、論理チャネル／ベアラ１又は２におけるデータパケットによってＩＡＢ  ｎｏｄｅ  ３に送信する。ＩＡＢ  ｎｏｄｅ  ２は、ＩＡＢ  ｎｏｄｅ  ４との間の１つ以上の論理チャネル／ベアラに対応する必要な合計のバッファサイズをさらに決定し、論理チャネル／ベアラ３又は４におけるデータパケットによってＩＡＢ  ｎｏｄｅ  ３に送信する。
【００５０】
具体的な実施例３
ＩＡＢユーザプレーンの１つのプロトコルスタックアーキテクチャは、例えば、図７に示すとおりであり、図７は、本願書類の具体的な実施例３に係るＩＡＢユーザプレーンのプロトコルスタックアーキテクチャの概略図であり、図７に示すように、ＩＡＢ  ｎｏｄｅとＩＡＢ  ｄｏｎｏｒとの間にＧＴＰ−Ｕプロトコル層が存在する。適応層は、ＩＡＢ  ｎｏｄｅ及びＩＡＢ  ｄｏｎｏｒ  ＤＵのＲＬＣ層の上に位置する。なお、適応層（ａｄａｐｔｏｒ  ｌａｙｅｒ／ａｄａｐｔａｔｉｏｎ  ｌａｙｅｒ）は、ＲＬＣ層とＭＡＣ層との間に位置してもよく、適応層機能は、ＲＬＣ又はＭＡＣ層に位置してもよい。Ｄｏｎｏｒ  ＤＵとＣＵ（又はＣＵ−ＵＰ）との間のインタフェースに適応層が存在してもよく、即ち、Ｄｏｎｏｒ  ＤＵとＣＵ（又はＣＵ−ＵＰ）も対応する適応層処理を実行する。また、図７におけるＧＴＰ−Ｕ層の下にユーザデータグラムプロトコル（Ｕｓｅｒ  Ｄａｔａｇｒａｍ  Ｐｒｏｔｏｃｏｌ、ＵＤＰ）又はインターネットプロトコル（Ｉｎｔｅｒｎｅｔ  Ｐｒｏｔｏｃｏｌ、ＩＰ）層が存在する可能性がある。また、図７におけるｄｏｎｏｒ  ＤＵ上にＧＴＰ−Ｕプロトコル層がなくてよい。なお、本願の方法は、明細書に示されているＩＡＢプロトコルスタックアーキテクチャのみならず、他のＩＡＢプロトコルスタックアーキテクチャにも適用可能である。本実施例は、ＩＡＢ  ｎｏｄｅ上にＧＴＰ−Ｕプロトコル層がある場合のフロー制御情報送信方法である。
【００５１】
本実施例の方法において、ＩＡＢ  ｎｏｄｅ（図７におけるＩＡＢ  ｎｏｄｅ  １及びＩＡＢ  ｎｏｄｅ  ２）は、実施例１、２における前記方法によりフロー制御情報を送信してもよく、ＩＡＢ  ｎｏｄｅは、ＧＴＰ−Ｕプロトコル層によりフロー制御情報を送信してもよい。具体的には、フロー制御情報は、
１）ＵＥのベアラの識別子又はＩＡＢノードのベアラの識別子であってよい１つ以上のベアラ識別子、
２）ＵＥの論理チャネルの識別子又はＩＡＢノードの論理チャネルの識別子であってよい１つ以上の論理チャネル識別子、
３）ＵＥのベアラ又は論理チャネルに対応する必要なバッファサイズｄｅｓｉｒｅｄ  ｂｕｆｆｅｒ  ｓｉｚｅ、
４）ＩＡＢノードのベアラ又は論理チャネルに対応する必要なバッファサイズ、
５）ＵＥ又はＩＡＢノードに対応する必要なバッファサイズ、
６）ＵＥ又はＩＡＢノードに対応する最低限必要なバッファサイズ、及び
７）ＵＥ識別子又はＩＡＢノード識別情報のうちの少なくとも１つを含む。ＩＡＢノード識別情報は、ＩＡＢノードの携帯端末ＭＴ部分を識別する識別子であり、Ｃ−ＲＮＴＩ、Ｃ−ＲＮＴＩ＋セル識別子、Ｃ−ＲＮＴＩ＋基地局識別子、Ｃ−ＲＮＴＩ＋ＤＵ識別子、Ｆ１ＡＰ  ＩＤ、Ｘ２ＡＰ  ＩＤ、及びＧＴＰ  ＴＥＩＤを含むが、これらに限定されず、或いは、ＩＡＢノードのＤＵ又はＣＵ又は基地局部分を識別する識別子であり、ＤＵ識別子、ＣＵ識別子、基地局識別子、セル識別子、ＰＣＩ、及びＩＰアドレスを含むが、これらに限定されない。
【００５２】
或いは、ＩＡＢ  ｎｏｄｅは、Ｆ１メッセージ又はＲＲＣメッセージにより上記フロー制御情報を送信してもよい。
【００５３】
好ましくは、ＩＡＢ  ｎｏｄｅ  ２又はＩＡＢ  ｄｏｎｏｒ  ＤＵは、前ホップノードのフロー制御情報を受信した後に、該フロー制御情報に基づいてダウンリンクデータ伝送を行ってよい。
【００５４】
或いは、ＩＡＢ  ｎｏｄｅ  ２は、前ホップノードのフロー制御情報を受信した後に、次ホップノードにフロー制御情報を転送する。好ましくは、Ｄｏｎｏｒ  ＤＵは、ＧＴＰ−Ｕによりフロー制御情報を送信してよい。ＩＡＢ  ｄｏｎｏｒ  ＤＵ又はＩＡＢ  ｄｏｎｏｒ  ＣＵは、フロー制御情報を受信した後に、該フロー制御情報に基づいてダウンリンクデータ伝送を行ってよい。
【００５５】
具体的な実施例４
本実施例は、ＩＡＢ  ｎｏｄｅがリンク情報を送信する方法であり、本実施例の方法は、様々なＩＡＢプロトコルスタックアーキテクチャに適用される。
【００５６】
ＩＡＢノードは、リンク情報を次ホップノード（ｐａｒｅｎｔ  ＩＡＢノード又はＩＡＢ  ｄｏｎｏｒ）に送信してよく、次ホップノードは、受信した後に該リンク情報を転送してよい。ＩＡＢノードが送信したリンク情報は、ワンホップ又はマルチホップの転送によりＩＡＢ  ｄｏｎｏｒに送信されてよい。或いは、ＩＡＢノードは、リンク情報を子ＩＡＢノード（ｃｈｉｌｄ  ＩＡＢ  ｎｏｄｅ）に送信してよい。リンク情報は、実施例１、２、３に係る方法で送信されてよい。具体的には、該リンク情報には、
１）成功して提出された最大なＰＤＣＰ  ＳＮ情報、
２）リンク状態情報、及び
３）データパケットの伝送状態情報のうちの１つが少なくとも含まれ、
リンク状態情報は、
１）無線リンク失敗指示情報、
２）無線リンク中断指示情報、
３）無線リンク回復指示情報、及び
４）報告されたリンク状態に対応するＩＡＢノードを識別する識別情報のうちの１つを含んでよい。
【００５７】
好ましくは、リンク状態情報は、原因値（ｃａｕｓｅ  ｖａｌｕｅ）フィールドにより指示されてよい。
【００５８】
データパケットの伝送状態情報は、
１）欠落したデータパケットシーケンス番号情報、
２）送信に失敗したデータパケットシーケンス番号情報、
又は３）確認が受信されなかったデータパケットシーケンス番号情報のうちの１つを含んでよい。
【００５９】
好ましくは、データパケットシーケンスは、ＰＤＣＰシーケンス番号又はＲＬＣシーケンス番号又は新定義のデータパケットシーケンス番号である。
【００６０】
好ましくは、子ＩＡＢノード又は次ホップノード又はＩＡＢ  ｄｏｎｏｒは、成功して提出された最大なＰＤＣＰ  ＳＮ情報を受信した後、該情報に基づいてＰＤＣＰバッファクリーニングを行う。
【００６１】
好ましくは、子ＩＡＢノード又は次ホップノード又はＩＡＢ  ｄｏｎｏｒは、リンク状態情報を受信した後、リンク状態情報に基づいてデータパケットの伝送に用いられる経路を決定することができる。
【００６２】
好ましくは、子ＩＡＢノード又は次ホップノード又はＩＡＢ  ｄｏｎｏｒは、データパケットの伝送状態情報を受信した後、伝送又は再送信に必要なデータパケットの番号を決定することができる。
【００６３】
以上の実施形態の説明によって、当業者は、上記実施例に係る方法を、ソフトウェアに必要な汎用のハードウェアプラットフォームを結合した方式で実現できる一方、ハードウェアによって実現でき、多数の場合に前方が最も好適な実施形態であることを理解することができる。このような理解に基づいて、本願の技術手段の実質又は関連技術に貢献のある部分を、ソフトウェア製品の形態で実現することができ、該コンピュータソフトウェア製品は記憶媒体（例えば、ＲＯＭ／ＲＡＭ、ディスク、ＣＤ）に記憶され、端末機器（携帯電話、コンピュータ、サーバ又はネットワーク機器などであってよい）に本願の各実施例で説明した方法を実行させるいくつかの命令を含む。
【００６４】
（実施例２）
本実施例において、上記実施例及び実施形態を実現する情報伝送装置をさらに提供し、既に説明したものを省略する。以下に使用されるように、用語「モジュール」は、所定の機能を実現できるソフトウェア及び／又はハードウェアの組み合わせである。以下の実施例で説明される装置は、好ましくはソフトウェアで実現されるが、ハードウェア、又はソフトウェアとハードウェアとの組み合わせで実現されることも考えられる。
【００６５】
本願書類の１つの実施例に係る情報伝送装置は、ＩＡＢノードに適用されてよく、
第２のＩＡＢノードに送信すべきリンク情報を決定する第１の決定モジュールと、
該リンク情報を、ＩＡＢ子ノード又はＩＡＢ親ノード又はＩＡＢ  ｄｏｎｏｒである第２のＩＡＢノードに送信する第１の送信モジュールとを含む。
【００６６】
上記技術手段を用いて、ＩＡＢノードがリンク情報を、ＩＡＢ子ノード又はＩＡＢ親ノード又はＩＡＢ  ｄｏｎｏｒである第２のＩＡＢノードに送信し、上記技術手段を用いて、関連技術における新たな無線中のＩＡＢシーンに適用される、リンク情報を報告する手段に欠けるという問題を解決し、ＩＡＢシーンにおいてリンク情報をリアルタイムで正確に報告することを実現する。
【００６７】
好ましくは、該リンク情報は、フロー制御情報、成功して提出された最大なパケットデータ収束プロトコルシーケンス番号ＰＤＣＰ  ＳＮ情報、及びリンク状態情報のうちの少なくとも１つを含む。
【００６８】
好ましくは、該フロー制御情報は、１つ以上のベアラ識別子、１つ以上の論理チャネル識別子、ユーザ装置ＵＥ識別子又はＩＡＢノードのノード識別情報、及び必要なバッファサイズｄｅｓｉｒｅｄ  ｂｕｆｆｅｒ  ｓｉｚｅ情報のうちの少なくとも１つを含む。
【００６９】
好ましくは、必要なバッファサイズｄｅｓｉｒｅｄ  ｂｕｆｆｅｒ  ｓｉｚｅ情報は、ＵＥのベアラ又は論理チャネルに対応する必要なバッファサイズｄｅｓｉｒｅｄ  ｂｕｆｆｅｒ  ｓｉｚｅ、該ＩＡＢノードのベアラ又は論理チャネルに対応する必要なバッファサイズ、ＵＥ又は該ＩＡＢノードに対応する必要なバッファサイズ、及びＵＥ又は該ＩＡＢノードに対応する最低限必要なバッファサイズのうちの少なくとも１つを含む。
【００７０】
好ましくは、該リンク状態情報は、無線リンク失敗指示情報、無線リンク中断指示情報、無線リンク回復指示情報、及び報告されたリンク状態に対応するＩＡＢノードを識別するノード識別情報のうちの少なくとも１つを含む。
【００７１】
好ましくは、該ノード識別情報は、該ＩＡＢノードの携帯端末ＭＴ部分を識別する第１の識別子であり、該第１の識別子は、Ｃ−ＲＮＴＩ、Ｃ−ＲＮＴＩ＋セル識別子、Ｃ−ＲＮＴＩ＋基地局識別子、Ｃ−ＲＮＴＩ＋ＤＵ識別子、Ｆ１ＡＰ  ＩＤ、Ｘ２ＡＰ  ＩＤ、及びＧＴＰ  ＴＥＩＤのうちの１つを含み、
【００７２】
或いは、該ノード識別情報は、該ＩＡＢノードのＤＵ、該ＩＡＢノードのＣＵ、及び該ＩＡＢノードの基地局部分を識別する第２の識別子であり、該第２の識別子は、ＤＵ識別子、ＣＵ識別子、基地局識別子、セル識別子、物理セル識別子ＰＣＩ、及びＩＰアドレスのうちの１つを含む。
【００７３】
好ましくは、第１の送信モジュールは、さらに、他のＩＡＢノードによりリンク情報をＩＡＢ  ｄｏｎｏｒに送信し、該ＩＡＢ  ｄｏｎｏｒは、ＩＡＢ  ｄｏｎｏｒ分散型ユニットＤＵ及び／又はＩＡＢ  ｄｏｎｏｒ集中型ユニットＣＵである。
【００７４】
好ましくは、該第１の送信モジュールは、
リンク情報をＧＴＰ−Ｕパケットヘッダに含めて第２のＩＡＢノードに送信するステップ、
リンク情報をＭＡＣ層により第２のＩＡＢノードに送信するステップ、
リンク情報を適応層パケットヘッダに含めて第２のＩＡＢノードに送信するステップ、
Ｆ１メッセージによりリンク情報を第２のＩＡＢノードに送信するステップ、
ＲＲＣメッセージによりリンク情報を第２のＩＡＢノードに送信するステップのうちの少なくとも１つを実行するように用いられる。
【００７５】
なお、上記各モジュールは、ソフトウェア又はハードウェアにより実現することができ、後方である場合、上記モジュールがいずれも同じプロセッサに位置し、或いは、上記各モジュールが任意組み合わせた形式でそれぞれ異なるプロセッサに位置する方式で実現することができるが、これらに限定されない。
【００７６】
（実施例３）
本願の実施例は、記憶媒体をさらに提供する。好ましくは、本実施例において、上記記憶媒体は、
ＩＡＢノードが、送信すべきリンク情報を決定するステップＳ１と、
アクセスバックホール統合リンクＩＡＢノードがリンク情報を、ＩＡＢ子ノード又はＩＡＢ親ノード又はＩＡＢ  ｄｏｎｏｒである第２のＩＡＢノードに送信するステップＳ２とを実行するプログラムコードを記憶するように設定されてよい。
【００７７】
好ましくは、本実施例において、上記記憶媒体は、ＵＳＢフラッシュドライブ、リードオンリーメモリ（ＲＯＭ、Ｒｅａｄ−Ｏｎｌｙ  Ｍｅｍｏｒｙ）、ランダムアクセスメモリ（ＲＡＭ、Ｒａｎｄｏｍ  Ａｃｃｅｓｓ  Ｍｅｍｏｒｙ）、モバイルハードディスク、磁気ディスク又はＣＤなどのプログラムコードを記憶できる様々な媒体を含むことができるが、これらに限定されない。
【００７８】
本願の実施例は、コンピュータプログラムが記憶されているメモリと、コンピュータプログラムを実行することにより、上記いずれかの方法の実施例におけるステップを実行するように設定されるプロセッサと、を含む電子装置をさらに提供する。
【００７９】
好ましくは、上記電子装置は、上記プロセッサに接続される伝送装置と、上記プロセッサに接続される入出力装置とを含んでもよい。
【００８０】
好ましくは、本実施例において、上記プロセッサは、コンピュータプログラムによって、
ＩＡＢノードが、送信すべきリンク情報を決定するステップＳ１と、
アクセスバックホール統合リンクＩＡＢノードがリンク情報を、ＩＡＢ子ノード又はＩＡＢ親ノード又はＩＡＢ  ｄｏｎｏｒである第２のＩＡＢノードに送信するステップＳ２とを実行するように設定されてよい。
【００８１】
好ましくは、本実施例の具体的な例としては、上記実施例及び好ましい実施例において説明した例を参照することができ、本実施例において詳細な説明を省略する。
【００８２】
明らかに、当業者が理解できるように、上記本願の各モジュール又は各ステップは、汎用のコンピュータ装置で実現することができ、それらは、単一のコンピュータ装置に集積してもよく、複数のコンピュータ装置からなるネットワークに分布してもよく、好ましくは、それらは、コンピュータ装置に実行可能なプログラムコードで実現するため、それらを記憶装置に記憶してコンピュータ装置で実行することができ、いくつかの場合で、ここでの順序と異なる順序で、示されたか又は記載されたステップを実行することも可能であり、或いは、それらをそれぞれ各集積回路モジュールに製造するか、又はそれらのうちの複数のモジュール又はステップを単一の集積回路モジュールに製造して実現することも可能である。このように、本願は、どんな特定のハードウェアとソフトウェアとの組み合わせにも限定されない。
【図１】
2021528014.tif 000003
【図２】
2021528014.tif 000004
【図３】
2021528014.tif 000005
【図４】
2021528014.tif 000006
【図５】
2021528014.tif 000007
【図６】
2021528014.tif 000008
【図７】
2021528014.tif 000009
【手続補正書】
【提出日】令和3年3月16日(2021.3.16)
【手続補正１】
【補正対象書類名】特許請求の範囲
【補正対象項目名】全文
【補正方法】変更
【補正の内容】
【特許請求の範囲】
【請求項１】
アクセスバックホール統合（ＩＡＢ）リンクの情報伝送方法であって、前記情報伝送方法は、
前記ＩＡＢリンクの第１のＩＡＢノードが、リンク情報を前記ＩＡＢリンクの第２のＩＡＢノードに送信すること
を含み、
前記第２のＩＡＢノードは、ＩＡＢ子ノード又はＩＡＢ親ノードであり、前記リンク情報は、フロー制御情報又はリンク状態情報のうちの少なくとも１つを含む、情報伝送方法。
【請求項２】
前記フロー制御情報は、論理チャネル識別子（ＬＣＩＤ）及び所望のバッファサイズ情報を含む、請求項１に記載の情報伝送方法。
【請求項３】
前記所望のバッファサイズ情報は、前記第１のＩＡＢノードの論理チャネルに対応する所望のバッファサイズを含む、請求項２に記載の情報伝送方法。
【請求項４】
前記リンク状態情報は、無線リンク失敗指示情報を含む、請求項１に記載の情報伝送方法。
【請求項５】
アクセスバックホール統合（ＩＡＢ）リンクの第１のＩＡＢノードであって、
前記第１のＩＡＢノードは、少なくとも１つのプロセッサと、リンク情報を前記ＩＡＢノードの第２のＩＡＢノードに送信するように構成されている送信インターフェースとを備え、
前記第２のＩＡＢノードは、ＩＡＢ子ノード又はＩＡＢ親ノードであり、前記リンク情報は、フロー制御情報又はリンク状態情報のうちの少なくとも１つを含む、第１のＩＡＢノード。
【請求項６】
前記フロー制御情報は、論理チャネル識別子（ＬＣＩＤ）及び所望のバッファサイズ情報を含む、請求項５に記載の第１のＩＡＢノード。
【請求項７】
前記所望のバッファサイズ情報は、前記第１のＩＡＢノードの論理チャネルに対応する所望のバッファサイズを含む、請求項６に記載の第１のＩＡＢノード。
【請求項８】
前記リンク状態情報は、無線リンク失敗指示情報を含む、請求項５に記載の第１のＩＡＢノード。
【請求項９】
アクセスバックホール統合（ＩＡＢ）リンクの情報伝送方法であって、前記情報伝送方法は、
前記ＩＡＢリンクの第２のＩＡＢノードが、前記ＩＡＢリンクの第１のＩＡＢノードからリンク情報を受信すること
を含み、
前記第２のＩＡＢノードは、ＩＡＢ子ノード又はＩＡＢ親ノードであり、前記リンク情報は、フロー制御情報又はリンク状態情報のうちの少なくとも１つを含む、情報伝送方法。
【請求項１０】
前記フロー制御情報は、論理チャネル識別子（ＬＣＩＤ）及び所望のバッファサイズ情報を含む、請求項９に記載の情報伝送方法。
【請求項１１】
前記所望のバッファサイズ情報は、前記第１のＩＡＢノードの論理チャネルに対応する所望のバッファサイズを含む、請求項１０に記載の情報伝送方法。
【請求項１２】
前記リンク状態情報は、無線リンク失敗指示情報を含む、請求項９に記載の情報伝送方法。
【請求項１３】
アクセスバックホール統合（ＩＡＢ）リンクの第２のＩＡＢノードであって、
前記第２のＩＡＢノードは、少なくとも１つのプロセッサと、前記ＩＡＢノードの第２のＩＡＢノードからリンク情報を受信するように構成されている受信インターフェースとを備え、
前記第２のＩＡＢノードは、ＩＡＢ子ノード又はＩＡＢ親ノードであり、前記リンク情報は、フロー制御情報又はリンク状態情報のうちの少なくとも１つを含む、第２のＩＡＢノード。
【請求項１４】
前記フロー制御情報は、論理チャネル識別子（ＬＣＩＤ）及び所望のバッファサイズ情報を含む、請求項１３に記載の第２のＩＡＢノード。
【請求項１５】
前記所望のバッファサイズ情報は、前記第１のＩＡＢノードの論理チャネルに対応する所望のバッファサイズを含む、請求項１４に記載の第２のＩＡＢノード。
【請求項１６】
前記リンク状態情報は、無線リンク失敗指示情報を含む、請求項１３に記載の第２のＩＡＢノード。
【請求項１７】
命令を記憶する非一時的コンピュータ可読媒体であって、前記命令は、少なくとも１つのプロセッサによって実行されると、請求項１〜４及び９〜１２のいずれか一項に記載の方法を実施することを前記少なくとも１つのプロセッサに行わせる、非一時的コンピュータ可読媒体。
【手続補正２】
【補正対象書類名】明細書
【補正対象項目名】０００８
【補正方法】変更
【補正の内容】
【０００８】
本発明のさらなる実施例に係る電子装置は、コンピュータプログラムが記憶されているメモリと、前記コンピュータプログラムを実行することにより、上記いずれかの方法の実施例におけるステップを実行するように設定されるプロセッサと、を含む。
本発明は、例えば、以下を提供する。
（項目１）
第１のアクセスバックホール統合リンクＩＡＢノードがリンク情報を第２のＩＡＢノードに送信することを含み、前記第２のＩＡＢノードは、ＩＡＢ子ノード又はＩＡＢ親ノード又はＩＡＢドナーｄｏｎｏｒである、情報伝送方法。
（項目２）
前記リンク情報は、
フロー制御情報、
成功して提出された最大なパケットデータ収束プロトコルシーケンス番号ＰＤＣＰ  ＳＮ情報、
リンク状態情報、及び
データパケットの伝送状態情報のうちの少なくとも１つを含む、項目１に記載の方法。
（項目３）
前記フロー制御情報は、
１つ以上のベアラ識別子、
１つ以上の論理チャネル識別子、
ユーザ装置ＵＥ識別子又はＩＡＢノードのノード識別情報、及び
必要なバッファサイズｄｅｓｉｒｅｄ  ｂｕｆｆｅｒ  ｓｉｚｅ情報のうちの少なくとも１つを含む、項目２に記載の方法。
（項目４）
前記必要なバッファサイズｄｅｓｉｒｅｄ  ｂｕｆｆｅｒ  ｓｉｚｅ情報は、
ＵＥのベアラ又は論理チャネルに対応する必要なバッファサイズｄｅｓｉｒｅｄ  ｂｕｆｆｅｒ  ｓｉｚｅ、
前記ＩＡＢノードのベアラ又は論理チャネルに対応する必要なバッファサイズ、
ＵＥ又は前記ＩＡＢノードに対応する必要なバッファサイズ、及び
ＵＥ又は前記ＩＡＢノードに対応する最低限必要なバッファサイズのうちの少なくとも１つを含む、項目３に記載の方法。
（項目５）
前記リンク状態情報は、
無線リンク失敗指示情報、
無線リンク中断指示情報、
無線リンク回復指示情報、及び
報告されたリンク状態に対応するＩＡＢノードを識別するノード識別情報のうちの少なくとも１つを含む、項目２に記載の方法。
（項目６）
前記ノード識別情報は、前記ＩＡＢノードの携帯端末ＭＴ部分を識別する第１の識別子であり、或いは、
前記ノード識別情報は、前記ＩＡＢノードのＤＵ、前記ＩＡＢノードのＣＵ、及び前記ＩＡＢノードの基地局部分を識別する第２の識別子である、項目３又は４に記載の方法。
（項目７）
前記データパケットの伝送状態情報は、
欠落したデータパケットシーケンス番号情報、
送信に失敗したデータパケットシーケンス番号情報、及び
確認が受信されなかったデータパケットシーケンス番号情報のうちの１つを含む、項目２に記載の方法。
（項目８）
前記第１のＩＡＢノードがリンク情報をＩＡＢ  ｄｏｎｏｒである第２のＩＡＢノードに送信することは、
前記第１のＩＡＢノードが他のＩＡＢノードによりリンク情報を前記ＩＡＢ  ｄｏｎｏｒに送信することを含み、
前記ＩＡＢ  ｄｏｎｏｒは、ＩＡＢ  ｄｏｎｏｒ分散型ユニットＤＵ及びＩＡＢ  ｄｏｎｏｒ集中型ユニットＣＵのうちの少なくとも１つである、項目１に記載の方法。
（項目９）
前記第１のＩＡＢノードがリンク情報を第２のＩＡＢノードに送信することは、
前記第１のＩＡＢノードがリンク情報をＧＴＰ−Ｕパケットヘッダに含めて前記第２のＩＡＢノードに送信すること、
前記第１のＩＡＢノードがリンク情報をＭＡＣ層により前記第２のＩＡＢノードに送信すること、
前記第１のＩＡＢノードがリンク情報を適応層パケットヘッダに含めて前記第２のＩＡＢノードに送信すること、
前記第１のＩＡＢノードがＦ１メッセージによりリンク情報を前記第２のＩＡＢノードに送信すること、
前記第１のＩＡＢノードがＲＲＣメッセージによりリンク情報を前記第２のＩＡＢノードに送信すること、のうちの１つを含む、項目１に記載の方法。
（項目１０）
第１のアクセスバックホール統合リンクＩＡＢノードに適用される情報伝送装置であって、
第２のＩＡＢノードに送信すべきリンク情報を決定するように設定された第１の決定モジュールと、
前記リンク情報を、ＩＡＢ子ノード又はＩＡＢ親ノード又はＩＡＢ  ｄｏｎｏｒである第２のＩＡＢノードに送信するように設定された第１の送信モジュールとを含む、情報伝送装置。
（項目１１）
コンピュータプログラムが記憶され、前記コンピュータプログラムが実行されると、前記項目１〜９のいずれか１項に記載の方法を実行するように設定されている、記憶媒体。
（項目１２）
コンピュータプログラムが記憶されているメモリと、前記コンピュータプログラムを実行することにより、前記項目１〜９のいずれか１項に記載の方法を実行するように設定されるプロセッサと、を含む電子装置。
【手続補正書】
【提出日】令和3年4月9日(2021.4.9)
【手続補正１】
【補正対象書類名】特許請求の範囲
【補正対象項目名】全文
【補正方法】変更
【補正の内容】
【特許請求の範囲】
【請求項１】
アクセスバックホール統合（ＩＡＢ）リンクの情報伝送方法であって、前記情報伝送方法は、
前記ＩＡＢリンクの第１のＩＡＢノードが、リンク状態情報を前記ＩＡＢリンクの第２のＩＡＢノードに送信すること
を含む、情報伝送方法。
【請求項２】
前記第２のＩＡＢノードは、ＩＡＢ子ノードである、請求項１に記載の情報伝送方法。
【請求項３】
前記リンク状態情報は、無線リンク失敗指示情報を含む、請求項１に記載の情報伝送方法。
【請求項４】
アクセスバックホール統合（ＩＡＢ）リンクの第１のＩＡＢノードであって、前記第１のＩＡＢノードは、少なくとも１つのプロセッサと、リンク状態情報を前記ＩＡＢリンクの第２のＩＡＢノードに送信するように構成されている送信インターフェースとを備える、第１のＩＡＢノード。
【請求項５】
前記第２のＩＡＢノードは、ＩＡＢ子ノードである、請求項４に記載の第１のＩＡＢノード。
【請求項６】
前記リンク状態情報は、無線リンク失敗指示情報を含む、請求項４に記載の第１のＩＡＢノード。
【請求項７】
アクセスバックホール統合（ＩＡＢ）リンクの情報伝送方法であって、前記情報伝送方法は、
前記ＩＡＢリンクの第１のＩＡＢノードが、フロー制御情報を前記ＩＡＢリンクの第２のＩＡＢノードに送信すること
を含む、情報伝送方法。
【請求項８】
前記第２のＩＡＢノードは、ＩＡＢ親ノードである、請求項７に記載の情報伝送方法。
【請求項９】
前記フロー制御情報は、論理チャネル識別子（ＬＣＩＤ）を含む、請求項７に記載の情報伝送方法。
【請求項１０】
前記フロー制御情報は、所望のバッファサイズ情報を含む、請求項７に記載の情報伝送方法。
【請求項１１】
前記所望のバッファサイズ情報は、前記第１のＩＡＢノードの論理チャネルに対応する所望のバッファサイズを含む、請求項１０に記載の情報伝送方法。
【請求項１２】
アクセスバックホール統合（ＩＡＢ）リンクの第１のＩＡＢノードであって、前記第１のＩＡＢノードは、少なくとも１つのプロセッサと、フロー制御情報を前記ＩＡＢリンクの第２のＩＡＢノードに送信するように構成されている送信インターフェースとを備える、第１のＩＡＢノード。
【請求項１３】
前記第２のＩＡＢノードは、ＩＡＢ親ノードである、請求項１２に記載の第１のＩＡＢノード。
【請求項１４】
前記フロー制御情報は、論理チャネル識別子（ＬＣＩＤ）を含む、請求項１２に記載の第１のＩＡＢノード。
【請求項１５】
前記フロー制御情報は、所望のバッファサイズ情報を含む、請求項１２に記載の第１のＩＡＢノード。
【請求項１６】
前記所望のバッファサイズ情報は、前記第１のＩＡＢノードの論理チャネルに対応する所望のバッファサイズを含む、請求項１５に記載の第１のＩＡＢノード。
【請求項１７】
命令を記憶する非一時的コンピュータ可読媒体であって、前記命令は、少なくとも１つのプロセッサによって実行されると、請求項１〜３及び７〜１１のいずれか一項に記載の情報伝送方法を実施することを前記少なくとも１つのプロセッサに行わせる、非一時的コンピュータ可読媒体。
【国際調査報告】
2021528014.tif 000010
2021528014.tif 000011
2021528014.tif 000012
2021528014.tif 000013